(57)【要約】【課題】  本発明は、発光ダイオードチップから放射される青色光にばらつきがあっても照射される白色光に色むらが生じにくい照明装置を提供する。【解決手段】  請求項１に記載の発明は、照明器具本体１９と；青色光を放射する複数の発光ダイオード１３を有し、当該発光ダイオードから放射された青色光が所定方向を照射するように、前記照明器具本体に配設された発光部１２と； 前記発光ダイオードから放射された青色光により励起されて、主として黄色光を発光する黄色系蛍光体を有し、前記青色光および黄色光が混色されることにより白色光を放射する色変換部１８と；を具備することを特徴とする。【選択図】図１
2007294379.tif 000002
【特許請求の範囲】
【請求項１】
照明器具本体と；
青色光を放射する複数の発光ダイオードを有し、当該発光ダイオードから放射された青色光が所定方向を照射するように、前記照明器具本体に配設されてなる発光部と；
アパーチャを備え、青色光が照射される所定方向に設けられたアパーチャ部と；
アパーチャ部に配設され、前記発光ダイオードから放射された青色光により励起されて、主として黄色光を発光する黄色系蛍光体を有し、前記青色光および黄色光が混色されることにより白色光を放射する色変換部と；
を具備することを特徴とする照明装置。
【請求項２】
発光ダイオードの青色光により励起されて、主として赤色光を発光する赤色発光蛍光体を有していることを特徴とする請求項１記載の照明装置。
【請求項３】
色変換部から放射された白色光の配光を制御する光制御部を有し、スポットライトを構成することを特徴とする請求項１又は２記載の照明装置。
【請求項４】
照明器具本体と；
紫外域の光を主として放射する複数の発光ダイオードを有し、当該紫外光が所定方向を照射するように、前記照明器具本体に配設されてなる発光部と；
前記紫外光により励起されて、主として赤色光、緑色光および青色光を発光する蛍光体を有し、前記各発光色が混色されることにより白色光を放射する色変換部と；
を具備することを特徴とする照明装置。
【請求項５】
前記色変換部の発光部側には、青色透過黄色系反射層が設けられていることを特徴とする請求項１乃至３いずれか一記載の照明装置。
【請求項６】
前記色変換部は、ガラス、ガラスの一面側に設けられた黄色系蛍光体層及びガラスの他面側に設けられた青色透過黄色系反射層を有してなることを特徴とする請求項１乃至３いずれか一記載の照明装置。
【発明の詳細な説明】
【技術分野】
【０００１】
本発明は、発光ダイオード（ＬＥＤ）を用いた照明装置に関する。
【背景技術】
【０００２】
一般に、劇場やテレビスタジオ等の照明用に使用されるスポットライトの光源には、ハロゲン電球や放電ランプが使用されている。これは、光源がレンズに対して十分に小さく、光源からの光を効率よく照射することができるからである。一方、近年、白色の発光ダイオードの高光度化に伴い、スポットライトの光源としてこれらの素子を使用することが注目されている。この種の発光ダイオードは、実質的な発光領域の大きさに対して相対的に高出力の光量が得られ、また発光領域が小さいために配光の制御が容易で、樹脂レンズ等と組み合わせることによって光の指向性が決め易い利点がある。
【０００３】
発光ダイオード（ＬＥＤ）を用いたスポットライトでは、この利点を生かして指向性のある多数のＬＥＤを光源として配置し、各ＬＥＤの照射ビームを一点に集光させて仮想の単一点光源ユニットを構成し、この光源ユニットとレンズとの位置関係を可変にして被照射面の照度及び照度分布を変化させるようにしたものが開発されている（例えば、特許文献１参照）。上述したように、スポットライトには、多数の白色ＬＥＤが使用されているので、個々の白色ＬＥＤにおいて生じる発光ダイオードチップから放射される青色光のばらつきや白色に変換する黄色蛍光体の特性のばらつき等を吸収して、できるだけ所定の色や色温度に近づけるようにしている。そして、スポットライトではないが、色変換材として蛍光体を含んだシリコーン樹脂をシート状にして精度良く形成し、色変換材から放射される光色のバラツキを低減するようにした発光装置も開示されている（例えば、特許文献２参照）。
【特許文献１】特開２００１−３０７５０２号公報（図２、図３）
【特許文献２】特開２００５−１３６００６号公報（段落番号0018等）
【発明の開示】
【発明が解決しようとする課題】
【０００４】
しかしながら、個々の白色ＬＥＤから生じる発光色を同一にするには、多くの時間と労力が生じる。すなわち、まず、発光ダイオードチップから放射される青色光を一定にし、さらに、白色に変換する黄色蛍光体の特性を一定にすることは、とても難しく、結果として色むらなどが発生するものである。
【０００５】
そこで、本発明は、発光ダイオードチップから放射される青色光にばらつきがあっても照射される白色光に色むらが生じにくい照明装置を提供することを目的とする。
【課題を解決するための手段】
【０００６】
請求項１記載の発明は、照明器具本体と；青色光を放射する複数の発光ダイオードを有し、当該発光ダイオードから放射された青色光が所定方向を照射するように、前記照明器具本体に配設されてなる発光部と；アパーチャを備え、青色光が照射される所定方向に設けられたアパーチャ部と；アパーチャ部に配設され、前記発光ダイオードから放射された青色光により励起されて、主として黄色光を発光する黄色系蛍光体を有し、前記青色光および黄色光が混色されることにより白色光を放射する色変換部と；を具備することを特徴とする。
【０００７】
請求項２記載の発明は、請求項１記載の照明装置において、発光ダイオードの青色光により励起されて、主として赤色光を発光する赤色発光蛍光体を有していることを特徴とする。
【０００８】
請求項３記載の発明は、請求項１又は２記載の照明装置において、色変換部から放射された白色光の配光を制御する光制御部を有し、スポットライトを構成することを特徴とする。
【０００９】
請求項４記載の発明は、照明器具本体と；紫外域の光を主として放射する複数の発光ダイオードを有し、当該紫外光が所定方向を照射するように、前記照明器具本体に配設されてなる発光部と；前記紫外光により励起されて、主として赤色光、緑色光および青色光を発光する蛍光体を有し、前記各発光色が混色されることにより白色光を放射する色変換部と；を具備することを特徴とする。
【００１０】
請求項５記載の発明は、請求項１乃至３いずれか一記載の照明装置において、前記色変換部の発光部側には、青色透過黄色系反射層が設けられていることを特徴とする。
【００１１】
請求項６記載の発明は、請求項１乃至３いずれか一記載の照明装置において、前記色変換部は、ガラス、ガラスの一面側に設けられた黄色系蛍光体を含むシリコーン樹脂及びガラスの他面側に設けられた青色透過黄色系反射層を有してなることを特徴とする。
【００１２】
本発明において、複数の発光ダイオードから放射された青色光には、紫外光も含まれていてもよい。また、色変換部は、例えば、黄色系蛍光体を含む樹脂をシート状にしたものが考えられる。黄色系蛍光体は、黄色光から橙色光間の光を発光する蛍光体が主として用いられ、さらに、緑色光も発光するものであってもよい。この場合には、色再現性がさらによくなる。また、演色性等の向上を図るために、黄色系蛍光体に加えて赤色発光蛍光体を使用してもよい。さらに、樹脂には黄色系蛍光体が均等に含まれるようにして成形するのがよい。当該色変換部に照射される青色光の照射強度は均等であることが望ましい。均等であれば、色変換部のどこの部分でも均一に黄色光を発光するとともに、色変換部から透過する青色光も均一に透過することができるので、黄色光と青色光が均等に混色し所定の白色光を放射することができる。また、アパーチャは、その面積を変化させることができるものがよい。色変換部の中央部と周辺部で照射される青色光の強度にばらつきがある場合には、アパーチャによって周辺部の青色光が色変換部に到達しないようにカットすることができ、色変換部に到達する青色光を均一なものにすることができる。また、光制御部は、例えばレンズであり、色変換部からの白色光を集光させたり、拡大させたりして、所定の配光のスポットライトを生成することができるものである。
【００１３】
なお、請求項４に記載の発明では、紫外光は主として紫外域の光であり、放射方向に配設されている色変換部をほぼ均一に照射するものである。また、紫外光は、照明器具本体から外部に漏れないように、照明器具本体内に発光部が配設されている。色変換部は、例えば、紫外光により、主として赤色光、緑色光および青色光に発光する蛍光体を含む樹脂をシート状にしたものが考えられる。または、主として赤色光発光蛍光体を含む樹脂をシート状にしたもの、主として緑色光発光蛍光体を含む樹脂をシート状にしたもの、主として青色光発光蛍光体を含む樹脂をシート状にしたもの、を各一枚ずつ重ねたものでもよい。なお、樹脂には各蛍光体が均等に含まれるようにして成形するのがよい。さらに、当該色変換部に照射される紫外光の照射強度は均等であることが望ましい。均等であれば、色変換部のどこの部分でも均一に色変換して所定の白色光を放射することができる。さらに、上記のようにシートを樹脂で成形したものは、紫外光により劣化することもあるので、紫外光を透過するガラスに含有させたものでもよい。または蛍光体をガラスによりサンドイッチした構造であってもよい。
【発明の効果】
【００１４】
請求項１記載の発明によれば、青色光により励起されて、主として黄色光を発光する黄色系蛍光体を含む色変換部を有し、アパーチャにより当該色変換部に照射される青色光を制御することにより色むらが低減された白色光を放射することができる。
【００１５】
請求項２記載の発明によれば、さらに、赤色光蛍光体の赤色光により平均演色評価数Ｒａを向上させることができる。
【００１６】
請求項３記載の発明によれば、色変換部から放射された白色光の配光を制御して色むらの少ないスポットライトを構成することができる。
【００１７】
請求項４記載の発明によれば、発光ダイオードから放射された紫外光により励起されて、主として赤色光、緑色光および青色光を発光する蛍光体を有し、各色が混色されることにより白色光を放射するように構成されているので、色むらを低減することができる。
【００１８】
請求項５記載の発明によれば、前記色変換部の発光部側には、青色透過黄色系反射層が設けられているので、発光部の発光ダイオードからの青色発光は青色透過黄色系反射層を透過して黄色発光蛍光体層へ入射される。ここで、青色光の一部はさらに透過し、残りの青色光は黄色系蛍光体を励起して黄色光以上の光（黄色系光）を発光し、この黄色系光が上記透過した青色光と混色し、白色光して放射される。そして、この黄色系蛍光体で放射された光の一部が発光ダイオード側へ反射されると、この反射光は青色透過黄色系反射層により黄色系蛍光体層側へ再び反射される。このために、黄色系蛍光体へ再び入射された光は、ここで、吸収されずに、再び黄色系光を発光する。これにより、黄色光以上の波長の光の発光量が増加するので、その分、この黄色光以上の波長の光と青色光との混合よりなる白色光の取出し効率を向上させることができる。
【００１９】
請求項６記載の発明によれば、ガラス基材の一面側に黄色系蛍光体を含むシリコーン樹脂を設け、他面側に設けられた青色透過黄色系反射層を形成することが製造上、容易にできる。
【発明を実施するための最良の形態】
【００２０】
以下、本発明の一実施形態である照明装置としてのスポットライトについて、図面を参照して説明する。図１は本発明の一実施形態に係るスポットライトの内部構成図、図２は同じく断面図、図３は同じく正面図である。図において、スポットライト１１は、照明器具本体１９、発光部１２、アパーチャ部１５、色変換部１８、および光制御部１７を含んで構成されている。照明器具本体１９は、例えば金属製の箱体で形成され、内部には発光部１２、アパーチャ部１５、色変換部１８、および光制御部１７を収容している。発光部１２は、青色光を放射する複数の発光ダイオード（ＬＥＤ）１３を有し、当該ＬＥＤ１３から放射された青色光が所定方向を照射するように配列されている。
【００２１】
ここで、ＬＥＤ１３は、砲弾型のものや、光出力が相対的に大きい高出力型パワーＬＥＤを使用することができる。また、ＬＥＤ１３の青色光照射方向に拡散シート又はレンズ１４を配置してもよい。青色光が均等に後述するアパーチャ方向を照射するためである。拡散シート１４を配設するとＬＥＤ１３からの光束が低下するので、高出力型パワーＬＥＤと組み合わせて使用するのが好ましい。また、拡散シート１４の代わりにレンズを使用した場合には、青色光はアパーチャ方向に配光制御され効率よく色変換部１８を照射できるようになる。
【００２２】
アパーチャ部１５は、ＬＥＤ１３の青色光が照射する所定方向に設けられ、アパーチャ部１５には、アパーチャ１６が形成されている。複数のＬＥＤ１３は、アパーチャ１６が位置する領域で照射された青色光が混光されるようにアパーチャ１６の中心に向けてビームを射出するように配列されている。アパーチャ部１５は、発光部１２に取り付けられた複数個のＬＥＤ１３の青色光のうち、アパーチャ１６の領域外にある均質でない光を遮断し、アパーチャ１６を介して、例えば、スポットライトの光制御部としての集光レンズ１７に向けてＬＥＤ１３の放射光を通過させる。なお、アパーチャ１６の開口面積を可変して、上記均質でない光を遮断する割合を制御してもよい。このように、発光部１２に取り付けられた複数個のＬＥＤ１３の青色光ビームが集光する所定位置にアパーチャ１６が位置するようにアパーチャ部１５は設けられているため、このアパーチャ１６が疑似光源とみなすことができる。
【００２３】
色変換部１８は、アパーチャ部１５のアパーチャ１６に配設されている。この色変換部１８には、ＬＥＤ１３から放射された青色光により励起されて、主として黄色光を発光する黄色系蛍光体が含まれている。そして、前記青色光および黄色光が混色されることにより白色光を放射するようになっている。したがって、複数のＬＥＤ１３のうち一つでも壊れた場合でもそのＬＥＤさえ交換すれば、色変換部１８は再度使用することができるものであり、メンテナンスし易い構成となっている。
【００２４】
色変換部１８は、ＬＥＤ１３から所望の光量を得る上で、例えばシリコーン樹脂等の透明樹脂に対して蛍光体を５〜２０重量％、好ましくは１０〜１５重量％添加、混合した後、シート状に成形している。このように形成された色変換部１８は、４００〜８００μｍ、好ましくは５００〜６００μｍの厚さを有する。４００μｍ未満であると、所望の光量を得るのに十分な量の蛍光体量を配合すると、色変換部１８において蛍光体の粒間が狭くなる。したがって、ＬＥＤ１３から放射される青色光が色変換部１８を通過し難くなり、ＬＥＤ１３から放射される光と、この光で励起され発光する色変換部１８中の蛍光体自体の黄色光とに基づく所望の光量が得られ難くなり、ＬＥＤ１３の発光効率の低下を招く。一方、８００μｍを越えると、ＬＥＤ１３から放射される光が色変換部１８の上部（例えば白色光放出側）まで届かず、色変換部１８中の蛍光体を十分に励起し難くなり、所望の光量を得ることが困難になる。なお、粒径が１０〜１５μｍの範囲の蛍光体粒子を使用することが好ましいが、３０μｍ程度のものも使用可能であり、この場合には発光効率が向上する。蛍光体粒子の粒径は、例えば製造工程で篩い分け等の分級処理を実施することにより制御することができる。
【００２５】
また、色変換部１８中に含有された蛍光体は、ＬＥＤ１３から放射される光、例えば青色光や紫外線により励起されて可視光を発光するものである。青色光タイプのＬＥＤ１３を使用して白色発光を得る場合には、黄色光から橙色光間の光を発光する黄色系蛍光体が主として用いられ、さらに、緑色光も発光するものであってもよい。この場合には、色再現性がさらによくなる。また、演色性等の向上を図るために、黄色系蛍光体に加えて赤色発光蛍光体を使用してもよい。黄色光から橙色光間の光を発光する黄色系蛍光体としては、例えばＲＥ3（Ａｌ，Ｇａ）5Ｏ12：Ｃｅ蛍光体（ＲＥはＹ、ＧｄおよびＬａから選ばれる少なくとも1種を示す。以下同じ）等のＹＡＧ蛍光体、ＡＥ2ＳｉＯ4：Ｅｕ蛍光体（ＡＥはＳｒ、Ｂａ、Ｃａ等のアルカリ土類元素である。以下同じ）等の珪酸塩蛍光体が用いられる。また、紫外発光タイプのＬＥＤ１３を使用して白色光を得る場合には、ＲＧＢ蛍光体が主として用いられる。青色発光蛍光体としては、例えばＡＥ10（ＰＯ4）6Ｃｌ12：Ｅｕ蛍光体のようなハロ燐酸塩蛍光体や（Ｂａ，Ｍｇ）Ａｌ10Ｏ17：Ｅｕ蛍光体のようなアルミン酸塩蛍光体等が用いられる。緑色発光蛍光体としては、（Ｂａ，Ｍｇ）Ａｌ10Ｏ17：Ｅｕ，Ｍｎ蛍光体のようなアルミン酸塩蛍光体等が用いられる。赤色発光蛍光体としては、Ｌａ2Ｏ2Ｓ：Ｅｕ蛍光体のような酸硫化物蛍光体等が用いられる。さらに、上記したような蛍光体に代えて、組成に応じて種々の発光色が得られる窒化物系蛍光体（例えばＡＥ2Ｓｉ5Ｎ8：Ｅｕ）、酸窒化物系蛍光体（例えばＹ2Ｓｉ3Ｏ3Ｎ4：Ｃｅ）、サイアロン系蛍光体（例えばＡＥx（Ｓｉ，Ａｌ）12（Ｎ，Ｏ）16：Ｅｕ）等を適用してもよい。なお、窒化物系蛍光体は、耐熱性がありスポットライト内部等比較的高温にさらされる使用環境下では好適である。また、色変換部１８中に含有された蛍光体は、白色微粒子であり前記青色光や黄色光等の光を拡散させることができるので、色むら改善に効果がある。
【００２６】
光制御部１７としての集光レンズ１７は、色変換部１８からの白色光を放射する方向であって、照明器具本体１９に配設され、色変換部１８からの白色光を集光して、被照射対象を照明する面積等を制御する。なお、集光レンズ１７は球面レンズや平坦状レンズで構成することができる。本実施形態では１個のフレネルレンズを用いた場合を示している。また、集光レンズ１７とアパーチャ１６または発光部１２との距離を相対的に可変とするように移動機構２０が設けられている。この移動機構２０は、光源フォーカスハンドル２０ａ及びレンズフォーカスハンドル２０ｂを含み、この移動機構２０により、発光部１２と集光レンズ１７との離間距離を相対的に変動させることにより、被照射面での光照射面積が変化し、また光量が変化するように構成されている。また、集光レンズ１７側の照明器具本体１９にはバンドア２１が設けられており、このバンドア２１の開閉角を調節することにより、スポットライト１１からの光の照射範囲を所望により遮光し調節することができる。
【００２７】
さらに、ＬＥＤ１３に適合する点灯電力を供給する点灯装置は、照明器具本体１９の下部に位置する点灯装置収納部１９ａ内に収納されている。この点灯装置は、供給される商用電源をＬＥＤ１３に適合した低ワットの直流に変換し、また、外部から出力されたＤＭＸ信号などの調光信号に応じて、ＬＥＤ１３から放射される青色光の強度を調整して白色光を調光できるように構成されている。
【００２８】
次に、本発明の第２の実施形態である照明装置としてのスポットライトについて、図面を参照して説明する。図４は本発明の第２の実施形態に係る色変換部を示す断面図である。本実施形態のスポットライトの全体構成は、上述した一実施形態のスポットライトと同一であるため、図１〜３を参照して詳細なる説明は省略する。ここで、発光部１２は、ＬＥＤ１３を有し、主として紫外光を所定方向に照射する。また、色変換部１８は、前記紫外光により励起されて、主として赤色光、緑色光および青色光を発光する蛍光体を有し、前記各発光色が混色されることにより白色光を放射する。図４に示すように、色変換部１８は、主として赤色光、緑色光および青色光に発光する蛍光体を含む樹脂をシート状にしたものをガラスによりサンドイッチした構造にしている。樹脂は紫外光で劣化しにくいものがよい。
【００２９】
シートは、透明樹脂５１ａに対して蛍光体粒子５１ｂを５〜２０質量％、好ましくは１０〜１５質量％添加、混合した後、シート状に形成されている。このシートは、平板状の２枚のガラス（光透過部材）５２によりサンドイッチされている。なお、側面には、開口５２ａを有する箱型のガラス５２を使用してもよく、この場合には、シート５１を入れ、開口５２ａをシール部材５３により塞ぐようにする。ガラスは耐水性及び光透過性に優れているから好ましい。また、ガラス５２の表面を荒らした場合には、拡散シートとしての機能をも有する。
【００３０】
シール部材５３は、蛍光体シート５１の全ての側面５１ｄを覆うように設けられている。さらに、シール部材５３において、蛍光体シート５１と対向する面には白色反射層を形成してもよく、この場合には蛍光体シート５１から放射される光を蛍光体シート５１内に反射して戻すことができ、光の取り出しの低下を抑制することができる。シール部材５３は、必ずしも蛍光体シート５１の全ての側面５１ｄを覆うように設けられている必要はない。例えば、蛍光体シート５１の側面５１ｄの一部がガラス５２により覆われている場合には、シール部材５３は蛍光体シート５１のガラス５２で覆われていない側面５１ｄを覆っていればよい。シール部材５３は、蛍光体シート５１の側面５１ｄから離間して設けられ、シール部材５３と蛍光体シート５１の側面５１ｄとの間には隙間が存在しているので、色変換部１８が光で熱くなって蛍光体シート５１が膨張しても逃げられるようになっている。
【００３１】
固定部材６は、色変換部１８を所定の位置に固定するものであり、色変換部１８の外周縁部に取り付けられている。固定部材６は、ガラス５２を両側から挟持して、固定するものである。この固定部材６を設けることにより、色変換部１８を所定の位置に固定することができるとともに蛍光体シート５１の主面５１ｃとガラス５２とを密着させることができる。なお、固定部材６は、ガラス５２を両側から挟持するものでなくともよい。
【００３２】
次に、本発明の第３の実施形態である照明装置としてのスポットライトについて、図面を参照して説明する。図５は本発明の第３の実施形態に係る色変換部を示す断面図である。本実施形態のスポットライトの全体構成は、上述した実施形態のスポットライトと同一であるため、図１〜４を参照して詳細なる説明は省略する。色変換部１８は、ガラス７０、ガラス７０の一面側に設けられた黄色系蛍光体層７１及びガラス７０の他面側に設けられた青色透過黄色系反射層７２を有して構成されている。さらに、色変換部１８の端面には白色反射層が形成され、この場合には、色変換部１８から放射される光を色変換部１８内に反射して戻すことができ、光の取り出しの低下を抑制することができる。なお、青色透過黄色系反射層は、前記色変換部の発光ダイオード１３側に設けられる。そして、黄色系蛍光体層７１は、発光ダイオード１３から所望の光量を得る上で、例えばシリコーン樹脂等の透明樹脂に対して上述したような蛍光体を５〜２０質量％、好ましくは１０〜１５質量％添加、混合した後、ドクターブレード法等によりガラス７０基材の一面側に均一な厚みで成形されている。なお、シリコーン樹脂の硬度は硬めの方がゴミ等の付着がなく好適である。
【００３３】
また、ガラス７０の他面側（黄色系蛍光体層７１の背面側）、すなわち、複数の発光ダイオード１３と対向する面には、所要層厚の青色透過黄色系反射層７２を密着させて形成している。
【００３４】
青色透過黄色系反射層７２は発光ダイオード１３の青色光（例えば主波長４５０〜４７０ｎｍ）を透過する一方、波長が４８０ｎｍ以上の黄色系光を反射する光フィルターである。青色透過黄色系反射層７２は、これにより反射するフィルター吸収端が４８０ｎｍであることが望ましいが、５００ｎｍでもよい。青色透過黄色系反射層７２は、例えばＺｎＳ−ＭｇＦ２やＴｉＯ２−ＳｉＯ２等の光学多層膜であり、発光ダイオードチップの青色光の波長域では、透過率が９５％、黄色光の波長域では透過率が１０％、反射率が８５％であった。
【００３５】
本実施形態によれば、黄色系蛍光体層７１の背面側に青色透過黄色系反射層７２を設けているので、この黄色系蛍光体層７１から発光部１２側へ放射された波長４８０ｎｍ以上の黄色系光を青色透過黄色系反射層７２により黄色系蛍光体層７１側へ反射させることができる。このために、黄色系蛍光体層７１よりも前方の照明対象上の光束を増大させることができる。例えば、照度実験によれば、青色透過黄色系反射層７２を具備しない場合に比して照明対象の照度面の照度を約５０％向上させることができた。但し、この照度向上のためには、主波長４５０〜４７０ｎｍの青色発光を青色透過黄色系反射層７２によりカットしないことが重要であり、青色透過黄色系反射層７２の吸収端が４８０ｎｍのときの照明対象上の照度は、この青色透過黄色系反射層７１を具備しないときの照度を１００％とすると、ほぼ１２０％であり、吸収端が５００ｎｍのときの照度は１５０％であった。また、複数の発光ダイオード１３からの青色光を１枚の黄色系蛍光体層７１により黄色系光に変換するので、仮に複数の発光ダイオード１３自体の発光性能等にばらつきがあっても、黄色系蛍光体層７１からはそのばらつきが低減された黄色系光が放射されるので、この黄色系光と青色の混色よりなる白色光のばらつきを低減することができる。
【図面の簡単な説明】
【００３６】
【図１】本発明の一実施形態に係るスポットライトの内部構成図。
【図２】同じく断面図。
【図３】同じく正面図。
【図４】本発明の第２の実施形態に係る色変換部の断面図。
【図５】本発明の第３の実施形態に係る色変換部の断面図。
【符号の説明】
【００３７】
１１…照明装置、１２…発光部、１３…ＬＥＤ、１５…アパーチャ部、１６…アパーチャ、１７…集光レンズ、１８…色変換部、１９…照明器具本体、７１…黄色系蛍光体層、７２…青色透過黄色系反射層。
【図１】
2007294379.tif 000003
【図２】
2007294379.tif 000004
【図３】
2007294379.tif 000005
【図４】
2007294379.tif 000006
【図５】
2007294379.tif 000007